(57)【要約】【課題】簡素な構造でカード収容部内におけるカードの収容量を増やす。【解決手段】カード取扱装置は、情報を記憶するカードを搬送する搬送部と、搬送部によって搬送されたカードが収容されるカード収容部と、カード収容部内の第１の方向から第２の方向に延びて設けられ、搬送部から落下したカードを第２の方向へ案内する板状の弾性変形部材と、を備える。カード収容部は、弾性変形部材が配置されて弾性変形部材が弾性変形することによってカードが収容される第１収容空間と、弾性変形部材上に沿って第２の方向へ案内されたカードが収容される第２収容空間と、を有する。【選択図】図５
2020149374.tif 000002
【特許請求の範囲】
【請求項１】
情報を記憶するカードを搬送する搬送部と、
前記搬送部によって搬送されたカードが収容されるカード収容部と、
前記カード収容部内の第１の方向から第２の方向に延びて設けられ、前記搬送部から落下したカードを前記第２の方向へ案内する板状の弾性変形部材と、を備え、
前記カード収容部は、前記弾性変形部材が配置されて前記弾性変形部材が弾性変形することによってカードが収容される第１収容空間と、前記弾性変形部材上に沿って前記第２の方向へ案内されたカードが収容される第２収容空間と、を有する、カード取扱装置。
【請求項２】
前記弾性変形部材は、長辺に沿って前記第１の方向側に膨らむように湾曲されている、
請求項１に記載のカード取扱装置。
【請求項３】
前記カード収容部には、前記弾性変形部材の前記長辺の一端を回転可能に支持する支軸が設けられている、
請求項２に記載のカード取扱装置。
【請求項４】
前記弾性変形部材は、長辺方向と交差する短辺方向における両側から中央に向かって、前記第１の方向側に膨らむように湾曲されている、
請求項１ないし３のいずれか１項に記載のカード取扱装置。
【請求項５】
前記第１収容空間と前記第２収容空間とが連続して並ぶ方向において、前記第１収容空間と前記第２収容空間の大きさが等しい、
請求項１ないし４のいずれか１項に記載のカード取扱装置。
【請求項６】
前記弾性変形部材における、前記第１の方向側の一端部は、前記搬送部からカードが落下する位置に対向して配置されている、
請求項１ないし５のいずれか１項に記載のカード取扱装置。
【請求項７】
前記弾性変形部材は、前記弾性変形部材上に積み重なったカードの重量によって、前記第１収容空間を構成する前記カード収容部の内面に沿って弾性変形可能に形成されている、
請求項１ないし６のいずれか１項に記載のカード取扱装置。
【発明の詳細な説明】
【技術分野】
【０００１】
本発明は、カード取扱装置に関する。
【背景技術】
【０００２】
例えば、宿泊施設で利用されるカードキー等のように、利用者が一時的に使用したカードを回収するために用いられるカード取扱装置が知られている。この種のカード取扱装置には、カードを搬送する搬送部と、搬送部によって搬送されたカードが落下して収容されるカード収容部と、を有するものがある。
【先行技術文献】
【特許文献】
【０００３】
【特許文献１】特開平９−２１２５９５号公報
【発明の概要】
【発明が解決しようとする課題】
【０００４】
図１６は、関連技術のカード取扱装置を示す断面図である。図１７は、他の関連技術のカード取扱装置を示す断面図である。図１６に示すように、カード取扱装置１０１では、搬送部１１５によって搬送されたカード１０３が落下して積み重なるカード収容部１１６内において、カード１０３が落下する位置Ｐの下方にカード１０３が片寄って積み重なり易く、位置Ｐから離れた位置にカード１０３が到達し難いので、カード収容部１１６内に空きスペースが生じ易い傾向にある。このため、図１７に示すカード取扱装置１０２では、カード収容部１１６内に、カード収容部１１６内の空きスペースにカード１０３を案内するためのガイド板１１７を、上端から下端に沿って鉛直方向に対して傾斜させて設ける構造が考えられる。しかし、この場合であっても、カード収容部１１６内におけるガイド板１１７の下方に空きスペースになるので、カード収容部１１６内にカード１０３を効率的に収容することができない。
【０００５】
開示の技術は、上記に鑑みてなされたものであって、簡素な構造でカード収容部内におけるカードの収容量を増やすことができるカード取扱装置を提供することを目的とする。
【課題を解決するための手段】
【０００６】
本願の開示するカード取扱装置の一態様は、情報を記憶するカードを搬送する搬送部と、前記搬送部によって搬送されたカードが収容されるカード収容部と、前記カード収容部内の第１の方向から第２の方向に延びて設けられ、前記搬送部から落下したカードを前記第２の方向へ案内する板状の弾性変形部材と、を備える。前記カード収容部は、前記弾性変形部材が配置されて前記弾性変形部材が弾性変形することによってカードが収容される第１収容空間と、前記弾性変形部材上に沿って前記第２の方向へ案内されたカードが収容される第２収容空間と、を有する。
【発明の効果】
【０００７】
本願の開示するカード取扱装置の一態様によれば、簡素な構造でカード収容部内におけるカードの収容量を増やすことができる。
【図面の簡単な説明】
【０００８】
【図１】図１は、実施例１のカード取扱装置を備える精算機を示す斜視図である。
【図２】図２は、実施例１のカード取扱装置を示す斜視図である。
【図３】図３は、実施例１のカード取扱装置を前方から示す断面斜視図である。
【図４】図４は、実施例１のカード取扱装置を後方から示す断面斜視図である。
【図５】図５は、実施例１のカード取扱装置を示す断面図である。
【図６】図６は、実施例１のカード取扱装置を示す分解斜視図である。
【図７】図７は、実施例１のカード取扱装置が備える弾性変形部材を示す斜視図である。
【図８】図８は、実施例１のカード取扱装置のカード収容部を上方から示す斜視図である。
【図９】図９は、実施例１のカード取扱装置において弾性変形部材が変形した状態を示す断面斜視図である。
【図１０Ａ】図１０Ａは、実施例１のカード取扱装置においてカード収容部にカードが収容される状態を説明するための断面図である。
【図１０Ｂ】図１０Ｂは、実施例１のカード取扱装置においてカード収容部にカードが収容される状態を説明するための断面図である。
【図１０Ｃ】図１０Ｃは、実施例１のカード取扱装置においてカード収容部にカードが収容される状態を説明するための断面図である。
【図１０Ｄ】図１０Ｄは、実施例１のカード取扱装置においてカード収容部にカードが収容される状態を説明するための断面図である。
【図１０Ｅ】図１０Ｅは、実施例１のカード取扱装置においてカード収容部にカードが収容される状態を説明するための断面図である。
【図１０Ｆ】図１０Ｆは、実施例１のカード取扱装置においてカード収容部にカードが収容される状態を説明するための断面図である。
【図１０Ｇ】図１０Ｇは、実施例１のカード取扱装置においてカード収容部にカードが収容される状態を説明するための断面図である。
【図１０Ｈ】図１０Ｈは、実施例１のカード取扱装置においてカード収容部にカードが収容される状態を説明するための断面図である。
【図１０Ｉ】図１０Ｉは、実施例１のカード取扱装置においてカード収容部にカードが収容される状態を説明するための断面図である。
【図１０Ｊ】図１０Ｊは、実施例１のカード取扱装置においてカード収容部にカードが収容される状態を説明するための断面図である。
【図１０Ｋ】図１０Ｋは、実施例１のカード取扱装置においてカード収容部にカードが収容される状態を説明するための断面図である。
【図１０Ｌ】図１０Ｌは、実施例１のカード取扱装置においてカード収容部にカードが収容される状態を説明するための断面図である。
【図１０Ｍ】図１０Ｍは、実施例１のカード取扱装置においてカード収容部にカードが収容される状態を説明するための断面図である。
【図１０Ｎ】図１０Ｎは、実施例１のカード取扱装置においてカード収容部にカードが収容される状態を説明するための断面図である。
【図１１】図１１は、実施例２のカード取扱装置の要部を示す断面図である。
【図１２】図１２は、実施例２のカード取扱装置の要部を上方から示す断面図である。
【図１３】図１３は、実施例２のカード取扱装置の要部を前方から示す断面図である。
【図１４】図１４は、実施例２のカード取扱装置が備える弾性変形部材を示す斜視図である。
【図１５】図１５は、実施例２のカード取扱装置のカード収容部を上方から示す斜視図である。
【図１６】図１６は、関連技術のカード取扱装置を示す断面図である。
【図１７】図１７は、他の関連技術のカード取扱装置を示す断面図である。
【発明を実施するための形態】
【０００９】
以下に、本願の開示するカード取扱装置の実施例を図面に基づいて詳細に説明する。なお、以下の実施例によって、本願の開示するカード取扱装置が限定されるものではない。
【実施例１】
【００１０】
（精算機の構成）
図１は、実施例１のカード取扱装置を備える精算機を示す斜視図である。図１に示すように、精算機１は、例えば、宿泊施設等の利用者が使用するものであり、情報を記憶するカードとしてのカードキー（ルームキー）３を取り扱うカード取扱部５と、紙幣入金口６ａ及び紙幣出金口６ｂを有する紙幣取扱部６と、硬貨入金口７ａ及び硬貨出金口７ｂを有する硬貨取扱部７と、各種情報を入力するための入力操作部８と、各種情報を表示すると共に各種操作を行うための表示操作部９と、を備える。
【００１１】
また、精算機１は、クレジットカードを取り扱うクレジット取扱部１０と、ＩＣカード、マネーカード等と通信する無線通信部１１と、一次元コード（バーコード）、二次元コード等を読み取る情報読取部１２と、を備える。クレジット取扱部１０は、クレジットカードが挿脱されるカード挿脱口１０ａを有する。図１以降において、精算機１の奥行き方向をＸ方向とし、精算機１の幅方向をＹ方向とし、精算機１の高さ方向をＺ方向として示す。
【００１２】
カード取扱部５は、電子鍵を解錠する情報を記録するカードキー３を取り扱い、例えば、宿泊施設のチェックイン時のカードキー３の発行、チェックアウト時のカードキー３の回収を行うために用いられる。なお、カード取扱部が取り扱うカードとしては、カードキー３に限定されず、例えば、情報を記憶するＩＣ（Integrated  Circuit）カード、磁気ストライプカード等のキャッシュカード、クレジットカード、マネーカード等が適用されてもよい。以下の実施例では、カードキー３をカード３と称する。
【００１３】
以下、精算機１が備えるカード取扱部５について、カード取扱装置５と称して説明する。本願が開示するカード取扱装置５は、精算機１に適用されるものに限定されず、例えば、各種の販売機や、専用のカード回収装置として用いられてもよい。
【００１４】
（カード取扱装置の構成）
図２は、実施例１のカード取扱装置５を示す斜視図である。図３は、実施例１のカード取扱装置５を前方から示す断面斜視図である。図４は、実施例１のカード取扱装置５を後方から示す断面斜視図である。図５は、実施例１のカード取扱装置５を示す断面図である。図６は、実施例１のカード取扱装置５を示す分解斜視図である。
【００１５】
図２〜図６に示すように、カード取扱装置５は、カード３が挿脱されるカード挿脱口１４ａを有するガイド部１４と、カード３を搬送する搬送部１５と、搬送部１５によって搬送されたカード３が落下して収容されるカード収容部１６と、カード収容部１６内の第１の方向（ここでは上方）から第２の方向（ここでは下方）に、すなわちＺ方向に延びて設けられて搬送部１５から落下したカード３を下方へ案内する板状の弾性変形部材１７と、を備える。また、カード取扱装置５は、カード３を発行するカード発行部１８を備えており、使用済みのカード３を回収するカード回収装置と、カード３を発行するカード発行装置と、を兼ねている。
【００１６】
ガイド部１４は、精算機１の前面に設けられており、カード挿脱口１４ａから挿入されたカード３を搬送部１５に導く。
【００１７】
搬送部１５は、カード３を搬送する搬送路１５ａを構成する搬送ローラ１５ｂ群と、カード３の回収時と発行時とで搬送路１５ａを切り換える切換機構１５ｃと、有する。切換機構１５ｃは、搬送路１５ａに対して回動する切換板１５ｄを有しており、切換板１５ｄが、カード収容部１６にカード３を落下させる位置Ｐの近傍に配置されている。切換機構１５ｃは、切換板１５ｄを回動させて搬送路１５ａを遮断することで、カード挿脱口１４ａから搬送されたカード３の前端が、切換板１５ｄに衝突して搬送路１５ａから落下する。このように切換板１５ｄによって進行方向が変えられたカード３は、カード収容部１６内に自由落下する。
【００１８】
図２〜図５に示すように、カード収容部１６は、弾性変形部材１７が配置された第１収容空間１６Ａと、弾性変形部材１７上に沿って下方へ案内されたカード３が収容される第２収容空間１６Ｂと、を有する。第１収容空間１６Ａにおいて弾性変形部材１７が下方へ弾性変形したときに、弾性変形に伴って弾性変形部材１７の上方に生じたスペースに、カード３が収容される（図９参照）。
【００１９】
カード収容部１６内には、弾性変形部材１７がカード３を案内するＸ方向において、第１収容空間１６Ａと第２収容空間１６Ｂとが連続して設けられている。図４及び図５に示すように、第１収容空間１６Ａと第２収容空間１６Ｂは、カード収容部１６におけるＸ方向において、後述する弾性変形部材１７の下端１７ｂを境目として区分される。第１収容空間１６Ａと第２収容空間１６Ｂとが連続して並ぶ方向において、第１収容空間１６Ａと第２収容空間１６Ｂの大きさが等しくされている。
【００２０】
（弾性変形部材の形状）
図７は、実施例１のカード取扱装置５が備える弾性変形部材１７を示す斜視図である。図８は、実施例１のカード取扱装置５のカード収容部１６を上方から示す斜視図である。図９は、実施例１のカード取扱装置５において弾性変形部材１７が変形した状態を示す断面斜視図である。
【００２１】
図６及び図７に示すように、弾性変形部材１７は、樹脂材料等によって矩形をなす平板状に形成されており、長辺における一方側の上端１７ａから、長辺における他方側の下端１７ｂに向かって延びている。図５及び図７に示すように、カード収容部１６内において、弾性変形部材１７の下端１７ｂは、上端１７ａと下端１７ｂとを結ぶ方向（長辺方向１７ｄ）と直交する幅方向（短辺方向１７ｅであるＹ方向）に沿って、カード収容部１６の底面１６ａに接するように配置されている。また、カード収容部１６内において、弾性変形部材１７における上方側の一端部としての上端部は、搬送部１５の搬送路１５ａからカード３が落下する位置Ｐに対向して配置されている。
【００２２】
そして、図５、図７及び図８に示すように、弾性変形部材１７は、上端１７ａから下端１７ｂに沿って第１の方向側（ここでは上側）に膨らむように湾曲されている（膨らみ１７ｆ）。これにより、弾性変形部材１７は、図８に示すように、搬送部１５から落下したカード３を上端１７ａ側から下端１７ｂ側に向かって、弾性変形部材１７の上に沿って滑らせることで、カード３を下端１７ｂ側へスムーズに案内する。
【００２３】
また、弾性変形部材１７の上端１７ａには、幅方向１７ｅ（Ｙ方向）の両側に、カード収容部１６内に支持される一組の支持片１７ｃが形成されている。カード収容部１６の上方には、弾性変形部材１７の各支持片１７ｃを回転可能に支持する支軸１９が設けられており、弾性変形部材１７の長辺の一端としての上端１７ａが、支軸１９を介して回転可能に支持されている。上端１７ａが支軸１９に支持された弾性変形部材１７は、弾性変形部材１７の上端１７ａの幅方向１７ｅ（Ｙ方向）が、カード収容部１６の側面１６ｂに沿うようにカード収容部１６内に配置されている。
【００２４】
弾性変形部材１７は、弾性変形部材１７上に積み重なったカード３の重量によって、第１収容空間１６Ａを構成するカード収容部１６の内面である底面１６ａ及び側面１６ｂに沿って弾性変形可能に形成されている。このため、弾性変形部材１７は、例えば、カード収容部１６の大きさや、弾性変形部材１７上に積み重なったカード３群の総重量、すなわち、カード収容部１６内における弾性変形部材１７の上方の空間に収容されて弾性変形部材１７上に積み重なったカード３群の総重量に応じて、弾性変形を開始する弾性力が設定されている。また、弾性変形部材１７の弾性力は、カード収容部１６の底面１６ａと側面１６ｂとに跨ってＬ字状に弾性変形可能に形成されていると共に、上端１７ａから下端１７ｂに沿って上側に膨らむように湾曲する初期状態に復帰するように設定されている。
【００２５】
上述のように弾性変形部材１７は、カード収容部１６の底面１６ａ及び側面１６ｂに沿って弾性変形することで、第１収容空間１６Ａを有効利用してカード３を効率よく収容することが可能になる。なお、弾性変形部材１７は、カード収容部１６の内面に沿って弾性変形することが望ましいが、これに限定されるものではない。弾性変形部材１７は、カード収容部１６の下方へ弾性変形することにより、第１収容空間１６Ａにおけるカード３を収容可能な空間を広げるものであればよい。
【００２６】
また、カード取扱装置５のカード発行部１８は、発行する複数枚のカード３が集積されたカード保持部１８ａを有しており、カード保持部１８ａの下端が、搬送路１５ａの一端の近傍に配置されている。カード発行部１８は、カード保持部１８ａの下端からカード３を１枚ずつ搬送路１５ａに繰り出し、カード３が搬送路１５ａに沿ってカード挿脱口１４ａに搬送される。このとき、切換板１５ｄは、搬送路１５ａに沿う姿勢に回動されており、カード保持部１８ａから搬送路１５ａを通ってカード挿脱口１４ａへ向かうカード３の搬送が妨げられない。
【００２７】
（カードの収容動作）
カード収容部１６に落下したカード３を、第１収容空間１６Ａと第２収容空間１６Ｂとにそれぞれ収容する動作について図面を参照して説明する。図１０Ａ〜図１０Ｎは、実施例１のカード取扱装置５においてカード収容部１６にカード３が収容される状態を説明するための断面図である。
【００２８】
図１０Ａに示すように、カード取扱装置５は、カード挿脱口１４ａからカード取扱装置５内に取り込まれたカードを、搬送路１５ａに沿って送り、切換板１５ｄに衝突させて、搬送路１５ａから落下させる。図１０Ｂに示すように、カード取扱装置５は、搬送路１５ａから落下したカード３を、弾性変形部材１７上における上端１７ａ側で受け止め、図１０Ｃに示すように、上端１７ａ側から下端１７ｂ側に向かって弾性変形部材１７の上に沿って移動させる。
【００２９】
図１０Ｄ及び図１０Ｅに示すように、カード取扱装置５は、弾性変形部材１７上に沿って移動させたカード３を、第２収容空間１６Ｂ内に収容する。このように、先ずカード取扱装置５は、カード収容部１６内に落下したカード３を、弾性変形部材１７によって第１収容空間１６Ａ側から第２収容空間１６Ｂ側へ送り、第２収容空間１６Ｂに収容する。また、弾性変形部材１７が上端１７ａと下端１７ｂとの間で湾曲していることで、湾曲された弾性変形部材１７上を滑るカード３を、弾性変形部材１７の下端１７ｂから、第２収容空間１６Ｂ内における奥側（Ｘ方向）に離れた位置まで飛ばすことが可能になり、弾性変形部材１７の下端１７ｂ近傍にカード３が集まって積み重なることが抑えられる。これにより、第２収容空間１６Ｂに空きスペースが生じることが抑えられ、第２収容空間１６Ｂ内にカード３が効率的に収容される。
【００３０】
続いて、カード取扱装置５は、搬送部の搬送路からカード収容部にカードを落下させることで、図１０Ｆ及び図１０Ｇに示すように、第２収容空間内にカードを徐々に積み重ねて収容する。カード３がカード収容部１６に更に収容されることで、図１０Ｈに示すように、第２収容空間１６Ｂ内に収容されたカード３群の増加に伴って、第２収容空間１６Ｂから溢れたカード３が、弾性変形部材１７の下端１７ｂ側に積み重なって、第１収容空間１６Ａにカード３が収容され始める。
【００３１】
更にカードがカード収容部１６内に収容されることにより、搬送路１５ａから落下したカード３が、弾性変形部材１７の下端１７ｂ側から上端１７ａ側に向かって徐々に積み重ねられて、図１０Ｉに示すように、弾性変形部材１７上に積み重なったカード３群の総重量の増加に伴い、弾性変形部材１７が下方に向かって徐々に押し潰されて弾性変形を開始する。
【００３２】
その結果、弾性変形部材１７上に積み重なったカード３群によって、弾性変形部材１７は、第１収容空間１６Ａの下方に向かって移動し、図１０Ｊに示すように、カード収容部１６の底面１６ａと側面１６ｂとに跨って接するように形状が変化して弾性変形を終了する。このため、カード取扱装置５は、弾性変形部材１７をカード収容部１６の底面１６ａ及び側面１６ｂに沿うように弾性変形させることにより、図１０Ｋに示すように、弾性変形部材１７の上方に、カード３を収容可能なスペースを生じさせ、カード３を更に収容可能となる。
【００３３】
また、弾性変形部材１７は、積み重なったカード３群によって弾性変形する際に、上端１７ａが支軸１９まわりに回動することで、弾性変形部材１７が側面１６ｂに沿ってスムーズに弾性変形する。加えて、弾性変形部材１７は、上端１７ａが支軸１９に支持されていることで、弾性変形後の弾性変形部材１７の上端１７ａの位置が規制されているので、弾性変形後に所定の初期状態にスムーズに復帰する。
【００３４】
したがって、カード取扱装置５は、第１収容空間１６Ａ内で弾性変形部材１７が下方に弾性変形することにより、図１７に示す関連技術における収容可能なスペースと比べて、図１０Ｌに示すように、第１収容空間１６Ａにおけるカード３を収容可能なスペースを増やすことができる。すなわち、弾性変形部材１７は、カード３を第２収容空間１６Ｂへ案内して送る働きと、カード３を第２収容空間１６Ｂに収容した後に第１収容空間１６Ａにカード３を収容するためのスペースを増やす働きとを奏する。
【００３５】
また、上述のようにカード３が収容されるカード収容部１６は、奥行き方向（Ｘ方向）に並ぶ第１収容空間１６Ａと第２収容空間１６Ｂの各々の大きさが等しく形成されていることで、弾性変形部材１７によって案内されたカード３が収容される第２収容空間１６Ｂ内に空きスペースが生じるのを抑えてカード３が効率よく収容されると共に、弾性変形部材１７が弾性変形した後に第１収容空間１６Ａ内に空きスペースが生じるのを抑えてカード３が効率よく収容される。
【００３６】
引き続き、カード取扱装置５は、弾性変形部材１７が弾性変形して生じた第１収容空間１６Ａのスペースに、図１０Ｍ及び図１０Ｎに示すように、搬送部１５から送られたカード３を積み重ねて収容する。このとき、弾性変形部材１７の上端部は、搬送部１５の搬送路１５ａからカード３が落下する位置Ｐに対向して配置されているので、弾性変形部材１７が弾性変形して生じた第１収容空間１６Ａのスペースにカード３を効率よく収容することが可能となる。
【００３７】
上述のように弾性変形部材１７を用いて第２収容空間１６Ｂ、第１収容空間１６Ａの順にカード３を積み重ねて収容することにより、カード収容部１６内に空きスペースが生じることを抑えて、カード収容部１６内にカード３が効率的に収容される。また、カード収容部１６内に収容されたカード３を取り出すことで、弾性変形部材１７は、図１０Ａに示す初期状態に復帰する。
【００３８】
（実施例１の効果）
上述したように実施例１のカード取扱装置５は、カード収容部１６内の上方から下方に延びて設けられて搬送部１５から落下したカード３を下方へ案内する板状の弾性変形部材１７を備える。カード収容部１６は、弾性変形部材１７が配置されて弾性変形部材１７が弾性変形することによってカード３が収容される第１収容空間１６Ａと、弾性変形部材１７上に沿って下方へ案内されたカード３が収容される第２収容空間１６Ｂと、を有する。これにより、カード収容部１６内にカード３を収容した際に、カード収容部１６内に空きスペースが生じることが抑えられるので、カード収容部１６全体にカード３を効率よく収容することができるので、簡素な構造で、カード収容部１６内に収容されるカード３の収容量を増やすことができる。
【００３９】
また、実施例１のカード取扱装置５の弾性変形部材１７は、上端１７ａから下端１７ｂに沿って上側に膨らむように湾曲されている。これにより、湾曲された弾性変形部材１７上を滑るカード３を、弾性変形部材１７の下端１７ｂから、第２収容空間１６Ｂ内における奥側（Ｘ方向）に離れた位置まで飛ばすことが可能になり、弾性変形部材１７の下端１７ｂ近傍にカード３が集まって積み重なることを抑えられる。このため、第２収容空間１６Ｂに空きスペースが生じることを抑え、第２収容空間１６Ｂ内にカード３を効率的に収容することができる。
【００４０】
また、実施例１のカード取扱装置５のカード収容部１６には、弾性変形部材１７の上端１７ａを回転可能に支持する支軸１９が設けられている。これにより。弾性変形部材１７は、積み重なったカード３群によって弾性変形する際に、上端１７ａが支軸１９まわりに回動することで、側面１６ｂに沿ってスムーズに弾性変形することができる。加えて、弾性変形部材１７は、上端１７ａが支軸１９に支持されていることで、弾性変形後の弾性変形部材１７の上端１７ａの位置が規制されているので、弾性変形後に所定の初期状態にスムーズに復帰することができる。
【００４１】
また、実施例１のカード取扱装置５のカード収容部１６は、第１収容空間１６Ａと第２収容空間１６Ｂとが連続して並ぶ方向（Ｘ方向）において、第１収容空間１６Ａと第２収容空間１６Ｂの大きさが等しい。これにより、弾性変形部材１７によって案内されたカード３が収容される第２収容空間１６Ｂ内に空きスペースが生じるのを抑えてカード３が効率よく収容されると共に、弾性変形部材１７が弾性変形した後に第１収容空間１６Ａ内に空きスペースが生じるのを抑えてカード３が効率よく収容することができる。
【００４２】
また、実施例１のカード取扱装置５の弾性変形部材１７の上端部は、搬送部１５からカード３が落下する位置Ｐに対向して配置されている。これにより、弾性変形部材１７が弾性変形して生じた第１収容空間１６Ａのスペースにカード３を効率よく収容することができる。
【００４３】
また、実施例１のカード取扱装置５の弾性変形部材１７は、弾性変形部材１７上に積み重なったカード３の重量によって、第１収容空間１６Ａを構成するカード収容部１６の底面１６ａ及び側面１６ｂに沿って弾性変形可能に形成されている。これにより、弾性変形部材１７が弾性変形することで、第１収容空間１６Ａを有効利用してカード３を効率よく収容することができる。
【００４４】
以下、他の実施例について図面を参照して説明する。実施例２において、実施例１と同一の構成部材には、実施例１と同一の符号を付して説明を省略する。実施例２は、弾性変形部材の湾曲形状が、実施例１における弾性変形部材１７の湾曲形状と異なる。
【実施例２】
【００４５】
図１１は、実施例２のカード取扱装置の要部を示す断面図である。図１２は、実施例２のカード取扱装置の要部を上方から示す断面図である。図１３は、実施例２のカード取扱装置の要部を前方から示す断面図である。図１１、図１２及び図１３に示すように、実施例２のカード取扱装置２５においても、実施例１と同様に、カード収容部１６の第１収容空間１６Ａに設けられた弾性変形部材２７を備える。弾性変形部材２７は、湾曲形状を除いて、実施例１における弾性変形部材１７と同様に形成されており、同一の形状、構造について説明を省略する。
【００４６】
弾性変形部材２７は、図１１に示すように、長辺における一方側の上端１７ａから、長辺における他方側の下端１７ｂに向かって延びており、カード収容部１６内において、弾性変形部材２７の下端１７ｂが、上端１７ａと下端１７ｂとを結ぶ方向（長辺方向１７ｄ）と直交する幅方向（短辺方向１７ｅ：Ｙ方向）に沿って、カード収容部１６の底面１６ａに接するように配置されている。
【００４７】
図１４は、実施例２のカード取扱装置２５が備える弾性変形部材２７を示す斜視図である。図１５は、実施例２のカード取扱装置２５のカード収容部１６を上方から示す斜視図である。図１１及び図１４に示すように、弾性変形部材２７は、上端１７ａから下端１７ｂに沿って上側に膨らむように湾曲されている（膨らみ１７ｆ）。これにより、弾性変形部材２７は、搬送部１５から落下したカード３を上端１７ａ側から下端１７ｂ側に向かって、弾性変形部材２７の上に沿って滑らせることで、カード３を下端１７ｂ側へスムーズに案内する。
【００４８】
加えて、図１３及び図１４に示すように、実施例２における弾性変形部材２７は、幅方向（短辺方向１７ｅ：Ｙ方向）における両側から中央に向かって、第１の方向側（上側）に膨らむように湾曲されている（膨らみ１７ｇ）。弾性変形部材２７の下端１７ａは、弧状に湾曲された状態で底面１６ａに接している。これにより、搬送部１５から落下したカード３を上端１７ａ側から下端１７ｂ側に向かって滑らせたときに、図１２及び図１５に示すように、弾性変形部材２７の幅方向（短辺方向１７ｅ：Ｙ方向）の中央から両側に向かってカード３群を分けるように案内する。
【００４９】
このため、弾性変形部材２７の下端１７ｂにおける幅方向（短辺方向１７ｅ：Ｙ方向）の中央にカード３が集まって積み重なることが抑えられ、下端１７ｂにおける幅方向（短辺方向１７ｅＹ方向）の両側にカード３を分散させて積み重ねることが可能になる。したがって、カード取扱装置２５は、弾性変形部材２７によって案内されたカード３を、第２収容空間１６Ｂ内に効率よく収容することができる。
【００５０】
（実施例２の効果）
実施例２のカード取扱装置２５は、上述した実施例１の効果に加えて、弾性変形部材２７が、幅方向（短辺方向１７ｅ：Ｙ方向）における両側から中央に向かって、第１の方向側（上側）に膨らむように湾曲されているので、弾性変形部材２７の下端１７ｂ側における幅方向（短辺方向１７ｅ：Ｙ方向）の両側にカード３を分けるように案内することができる。このため、第２収容空間内におけるＹ方向の両側に空きスペースが生じることを抑え、第２収容空間１６Ｂにカード３を更に効率的に収容することができる。
【００５１】
なお、本実施例は、弾性変形部材１７、２７を備えるカード取扱装置５、２５として構成されたが、図示しないが、例えば、カード３を手動で投入する投入口を有する回収ボックスに弾性変形部材１７、２７が適用されてもよく、本発明と同等の効果が得られる。
【符号の説明】
【００５２】
１  精算機
３  カード
５  カード取扱部、カード取扱装置
１５  搬送部
１６  カード収容部
１６Ａ  第１収容空間
１６Ｂ  第２収容空間
１６ａ  底面（内面）
１６ｂ  側面（内面）
１７  弾性変形部材
１７ａ  上端
１７ｂ  下端
１７ｃ  支持片
１７ｄ  長辺方向
１７ｅ  短辺方向
１７ｆ  膨らみ
１７ｇ  膨らみ
１９  支軸
２７  弾性変形部材
Ｐ  位置
【図１】
2020149374.tif 000003
【図２】
2020149374.tif 000004
【図３】
2020149374.tif 000005
【図４】
2020149374.tif 000006
【図５】
2020149374.tif 000007
【図６】
2020149374.tif 000008
【図７】
2020149374.tif 000009
【図８】
2020149374.tif 000010
【図９】
2020149374.tif 000011
【図１０Ａ】
2020149374.tif 000012
【図１０Ｂ】
2020149374.tif 000013
【図１０Ｃ】
2020149374.tif 000014
【図１０Ｄ】
2020149374.tif 000015
【図１０Ｅ】
2020149374.tif 000016
【図１０Ｆ】
2020149374.tif 000017
【図１０Ｇ】
2020149374.tif 000018
【図１０Ｈ】
2020149374.tif 000019
【図１０Ｉ】
2020149374.tif 000020
【図１０Ｊ】
2020149374.tif 000021
【図１０Ｋ】
2020149374.tif 000022
【図１０Ｌ】
2020149374.tif 000023
【図１０Ｍ】
2020149374.tif 000024
【図１０Ｎ】
2020149374.tif 000025
【図１１】
2020149374.tif 000026
【図１２】
2020149374.tif 000027
【図１３】
2020149374.tif 000028
【図１４】
2020149374.tif 000029
【図１５】
2020149374.tif 000030
【図１６】
2020149374.tif 000031
【図１７】
2020149374.tif 000032